(57)【要約】      （修正有）【課題】棚板の四隅や支柱の略直角となる角部分を解消し、ぶつかったり接触してもケガや衝撃を弱める為のコーナー保護とデザイン性を兼ね備えたアルミフレームラックを提供する。【解決手段】裏面前後に移動用キャスター６を取付け、両端の開口部に化粧キャップ７を嵌入した左右一対の角パイプベース部５と、軟質素材で曲面形状の中栓２を四隅の角部開口内へ嵌入した上部天板棚１との間に、溝内に固定用のスライドナットを入れ込んだ前後左右４本のアルミフレーム支柱４を立設して挟持固定し、左右のアルミフレーム支柱間に軟質素材で曲面形状の中栓２を四隅の角部開口内へ嵌入した複数段の中間棚３を任意の高さ位置で挟み込み、スライドナットを利用して固定保持させる。【選択図】図１
0003196454.tif 000002
【実用新案登録請求の範囲】
【請求項１】
裏面前後に移動用キャスターを取付け両端の開口部に化粧キャップを嵌入した左右一対の角パイプベース部と、軟質素材で曲面形状の中栓を四隅の角部開口内へ嵌入した上部天板棚との間に、溝内に固定用のスライドナットを入れ込んだ前後左右４本のアルミフレーム支柱を立設挟持固定し、左右の該アルミフレーム支柱間に前記軟質素材で曲面形状の中栓を四隅の角部開口内へ嵌入した複数段の中間棚を任意の高さ位置で挟み込み前期スライドナットを利用して固定保持させることを構造とするアルミフレームラック。
【考案の詳細な説明】
【技術分野】
【０００１】  本考案は一般企業や店舗、学校等などの様々な場所で棚板にディスプレイや機器、機材等を設置して使用する多目的ラックに関する。
【背景技術】
【０００２】  一般的にディスプレイや機器、機材等を棚板に設置し使用する多目的ラックは、スチール又はステンレス製で四方の脚部支柱の下部ベース部に移動用のキャスターを取付け複数段の棚板を各々脚支柱間の定位置で固定保持させる構造となっている。【０００３】  しかしながら、この構造だと棚板の四隅や脚部支柱が略直角に近い角部となっている為、ラックの移動の際角部が壁や柱にぶつかるとキズを付けたり、人に当たったりした場合にはケガや衝撃をうける可能性がある。【０００４】  従来この課題に対する対策として数々の提案がなされている。例えば非特許文献１では、四方の脚部支柱のコーナーをアールの曲面をつけた形状にしてぶつかった時に少しでも衝撃が弱くなる様に対処している。また非特許文献２では、市販のコーナープロテクターやコーナーガードと呼ばれるプラスチックやゴム製のクッション材に両面テープを用いて四方の棚板角や脚部支柱へ貼り付け保護する方法を用いている。
【先行技術文献】
【非特許文献】
【０００５】
【非特許文献１】  「オーロラ  ＡＶ  総合カタログ  Ｖｏｌ．４４」，株式会社共栄商事，Ｐ．８９
【非特許文献２】  「サンワサプライ  総合カタログ  ２０１４  ＶＯＬ．５３」，サンワサプライ株式会社，Ｐ．１７１
【考案の概要】
【考案が解決しようとする課題】
【０００６】  しかしながら、非特許文献１に用いられている構造では脚部支柱にアールの曲面を付けても、棚板より四方の脚部支柱が突出している為下部キャスター付け根部分から上部天板棚までの支柱範囲にわたってぶつかる可能性があり、ぶつかった場合にはある程度の衝撃を受けることとなる。【０００７】  又、非特許文献２の方法では、四方の脚部支柱や棚板角にクッション材を貼り付ける為、既存のラックに対しては安価で手間が掛からず容易に取付けられ非常に有効であるが、長時間の使用により接着面がはがれたり、クッション部分が棚板や脚支柱より突出する為見栄えを気にする人には不向きである。【０００８】  本考案は上記問題点を鑑みなされたもので、四方の突出した脚部支柱や棚板の略直角に近い角部分を解消し、ぶつかったり接触してもケガや衝撃を弱める為のコーナー保護とデザイン性を兼ね備えた多目的なアルミフレームラックを提供しようとするものである。
【課題を解決するための手段】
【０００９】  上記問題点を解決するために、本考案は裏面前後に移動用キャスターを取付け両端の開口部に化粧キャップを嵌入した左右一対の角パイプベース部と、軟質素材で曲面形状の中栓を四隅の角部開口内へ嵌入した上部天板棚との間に、予め溝内に固定用のスライドナットを入れ込んだ前後左右４本のアルミフレーム支柱を立設挟持固定し、左右の該アルミフレーム支柱間に前記軟質素材で曲面形状の中栓を四隅の角部開口内へ嵌入させた複数段の中間棚を任意の高さ位置で挟み込み前記スライドナットを利用して固定保持させる構造でアルミフレームラックを構成している。
【考案の効果】
【００１０】  本考案の効果として、各棚板の四隅角部開口内に曲面のついた軟質素材の中栓を嵌入する事により略直角に突出した角部分がなくなりぶつかっても安全である。また長期間使用しても容易に中栓が外れる事はない。さらにアルミフレーム支柱を上部天板棚と角パイプベース部で挟み込み固定させ、中間棚を左右のアルミフレーム支柱間で挟み込み固定保持させる事により上部天板棚よりアルミフレーム支柱と中間棚が外側にはみ出ることがなくなる為ぶつかる可能性が低くなり、さらにデザイン的にもスマートとなる。
【図面の簡単な説明】
【００１１】
【図１】本考案に係わるアルミフレームラックの正面斜視図。
【図２】本考案に係わるアルミフレームラックの正面図。
【図３】本考案に係わるアルミフレームラック棚板の形状を示した拡大図。
【図４】本考案に係わるアルミフレームラックの角パイプベース部の拡大構造図。
【図５】本考案に係わるアルミフレームラックの組立説明図。
【考案を実施するための形態】
【００１２】  以下、本考案の実施の形態を図に基づいて説明する。
【実施例】
【００１３】  図１及び図２は本考案に係わるアルミフレームラックの正面斜視図と正面図である。両端の開口部に化粧キャップ７を嵌入し裏面前後に移動用キャスター６を取付けた左右一対の角パイプベース部５と、四方の角部へ曲面のついた軟質素材の中栓２を嵌入した上部天板棚１との間に、溝内に予め固定用のスライドナット８を入れ込んだ前後左右４本のアルミフレーム支柱４を立設挟持固定し、左右の該アルミフレーム支柱４間に前記軟質素材で曲面形状の中栓２を四隅の角部開口内へ嵌入した複数段の中間棚３を任意の高さ位置で挟み込み前記スライドナット８を利用して固定保持させる構造を示している。これにより、前記上部天板棚１と前記角パイプベース部５との間に挟持される前記アルミフレーム支柱４と左右のアルミフレーム支柱４間にはさまれて固定される前記中間棚３は上部天板棚１より外側にはみ出ることがない為、直接壁や物等にぶつかったりする事が少なく安全で見た目にもスマートである。【００１４】  上記アルミフレーム支柱４は長手方向に沿って内部に中空孔と外側２面にスライドナット８固定用の溝を形成し、外側角部に曲面をつけ両端面に接続固定用のタップ加工を施した略正方形に近いアルミ押出材を使用することにより、中間棚３の高さ位置固定が自在に選択可能となる。又、前記アルミフレーム支柱４外側のスライドナット８固定用の溝にモールカバー９を添装させることにより配線等を見えないように隠すことも可能で見栄えもよくなる。【００１５】  図３は、本考案に係わるアルミフレームラックの棚板の形状を示した拡大図である。折り曲げて棚板の完成体形状となった時、四方の角部の形状が長方形の開口切り口となる様に切り抜いた鉄板を天面より各々四方の側面と裏面へと折り曲げ、裏面のセンター前側から後側へ補強板１０を入れ角部開口下面の合わせ目を熔接し、開口部に曲面のついた軟質素材の中栓２を嵌入させる。これにより、前記中栓２は嵌入部上下左右の四方が板金で挟持される為容易には脱落しない。また四方の角部を曲面のついた軟質素材の中栓２とすることによって従来は略直角状に尖ったところが鈍角に挟まれた曲面となる為、物や人に当たっても衝撃度は軽減される。【００１６】  図４は、本考案に係わるアルミフレームラックの角パイプベース部５の拡大構造図である。キャスター６取付け用の貫通穴とアルミフレーム支柱４接続固定用のボルト通し穴を設けたコ字形チャンネル１２を前記アルミフレーム支柱４接続固定用の貫通穴を設けたＣ型チャンネル１１内に挿入熔接し一体型の角パイプとする。さらにキャスター６取付け用のナットを熔接し一体型とした角座金１３を前記角パイプ内に入れ込みキャスター６を取付け、前記アルミフレーム支柱４接続固定用のボルト通し穴より接続ボルト１６を通しアルミフレーム支柱４を固定させる。このことにより、通常の角パイプより前記Ｃ型チャンネル１１に前記コ字型チャンネル１２を入れ込むことによって角パイプベース部５自体の歪みやネジレがなくなり強度が増し耐荷重も向上する。又、該角パイプベース部５の両サイドの端面処理には開口に合った保護用の化粧キャップ７を取付ける。【００１７】  図５は、本考案に係わるアルミフレームラックの組立説明図である。ま��、左右の角パイプベース部５に四方のアルミフレーム支柱４をボルト１６固定し、各アルミフレーム支柱４内側溝内に必要な中間棚３の枚数分のスライドナット８を入れ込んでおく。上部天板棚１は裏側左右の折り曲げ部に沿う形状でナット熔接を施した補強板１０を具設する構造とし、前記アルミフレーム支柱４との固定用サラ穴と前記上部天板棚１との接続用貫通穴を設けた連結板１４に前記アルミフレーム支柱４を皿ネジ１５固定し上部天板棚１のナット熔接を施した補強板１０へボルト１６で固定させる。最後に左右側面に取付け固定用の貫通穴を設けた中間棚３を各々任意の高さ位置で左右の前記アルミフレーム支柱４の前記スライドナット７にボルト１６で固定させる。
【産業上の利用可能性】
【００１８】  本考案のアルミフレームラックは、アルミフレーム支柱の構造材を使用しスライドナットを用いて中間棚を任意の位置で固定させる構造となっている為、設置する物によって自在に高さ位置が変えられ接続用の取付け金具を各種用意すれば棚だけでなくさまざまな物も上下の任意の位置に固定保持可能で、また棚板等の略直角となる角部や突出する部分がなく安全でデザイン的にもスマートな為、学校や一般企業、店舗等だけでなく医療関係にも使用できる可能性がある。
【符号の説明】
【００１９】  １    上部天板棚
２    中栓
３    中間棚
４    アルミフレーム支柱
５    角パイプベース部
６    キャスター
７    化粧キャップ
８    スライドナット
９    モールカバー
１０  補強板
１１  Ｃ型チャンネル
１２  コ字型チャンネル
１３  角座金
１４  連結板
１５  皿ネジ
１６  ボルト
【図１】
0003196454.tif 000003
【図２】
0003196454.tif 000004
【図３】
0003196454.tif 000005
【図４】
0003196454.tif 000006
【図５】
0003196454.tif 000007